(57)【要約】      （修正有）【課題】荒い茎や茎の硬化した多年生草の効率的な刈り払い作業が行え、ナイロンコードが切断されるおそれがないカッターの提供。【解決手段】円筒部２と、円筒部の上端より略水平に突出する鍔部と、鍔部と一定の間隔を空けて円筒部の下部より略水平に突出する制御板３とを備え、円筒部の周壁にはコード取付部２１を、制御板の上面には複数のハンマー４を設け、ハンマーは、制御板の上面から所定の隙間を空けて取り付けられた平板部からその底面が制御板と接する皿状に凹設された第一凹陥部および第二凹陥部とを備え、第一凹陥部が設けられたハンマーの先端側は制御板の外周縁側に、第二凹陥部が設けられたハンマーの基部側は円筒側に位置するようにし、ハンマーの反回転方向側の辺部に設けられた引き込み口からコードが平板部下部の隙間に挿入され、第二凹陥部と円筒側との間を挿通して回転方向側の辺部から外部へと繰り出すナイロンコードカッター。【選択図】図１
2019068767.tif 000002
【特許請求の範囲】
【請求項１】
円筒部と、該円筒部の上端より略水平に突出する鍔部と、該鍔部と一定の間隔を空けて円筒部の下部より略水平に突出する制御板とを備え、前記円筒部の周壁にはコード取付部が設けられ、前記制御板の上面には複数のハンマーを設け、該ハンマーは、制御板の上面から所定の隙間を空けて取り付けられた平板部からその底面が制御板と接する皿状に凹設された第一凹陥部および第二凹陥部とを備え、第一凹陥部が設けられたハンマーの先端側は制御板の外周縁側に、また、第二凹陥部が設けられたハンマーの基部側は円筒側に位置するように配設され、ハンマーの反回転方向側の辺部に設けられた引き込み口からコードが平板部下部の隙間に挿入され、第二凹陥部と円筒側との間を挿通して回転方向側の辺部から外部へと繰り出されていることを特徴とするナイロンコードカッター。
【請求項２】
前記ハンマーの基部側の一部を下方に折り曲げ加工することで、第一ガイド部および第二ガイドが形成されていることを特徴とする請求項１に記載のナイロンコードカッター。
【請求項３】
前記ハンマーは制御板の上面において、円筒部を中心とした略卍形となるように４箇所設けられていることを特徴とする請求項１または請求項２のいずれか１項に記載のナイロンコードカッター。
【請求項４】
前記制御板は平面視において角が円弧状に形成された隅丸正方形に形成されたことを特徴とする請求項１ないし３のいずれか１項に記載のナイロンコードカッター。
【請求項５】
前記制御板は、外周縁部から外側斜め下方へ折り曲げ形成されたスカート部が形成されていることを特徴とする請求項１ないし４のいずれか１項に記載のナイロンコードカッター。
【請求項６】
前記鍔部は、円形の外周縁部分に円弧上の切り欠きを１組ずつ対向するように計４箇所設けたことを特徴とする請求項１ないし５のいずれか１項に記載のナイロンコードカッター。
【発明の詳細な説明】
【技術分野】
【０００１】
本考案は刈り払い機用ナイロンコードカッターに関し、詳しくは作動中において回転ローターとして機能する円筒に形成されたコード繰出孔から外側方向に真っ直ぐ伸びるナイロンコードが、草を絡めることにより緊張しつつ回転ローター側に引き寄せられ一定の傾斜角に達した時に、ナイロンコードの緊張する部位を制御板に取り付けたハンマー先端が回転方向に打撃する機能を有するカッターである。
【背景技術】
【０００２】
従来のナイロンコードカッターは、ナイロンコードを円筒あるいは円盤の端面に形成された孔から繰り出す方式のものが一般的である（特許文献１）。かかるナイロンコードカッターは、庭園の下草などの柔らかい雑草はよく刈りはらうが、雑草地の茎の荒いイネ科雑草や茎が硬化した多年生の草は簡単には切ることができず刈払い作業の効率が著しく落ちてしまうという欠点がある。しかもその性能は、単純に刈払いの速さだけで比較した場合、柔らかい雑草の現場でもチップソー等の金属性の回転刃よりも相当に落ちるものである。
【０００３】
また、従来のナイロンコードカッターで、長さ２０乃至３０センチメートル程度の短いコードを用いる方式のものは円盤の周縁上にコード取付け孔を４乃至８個置いたもので、数メートルのコードを巻きコード消耗分の所要長を繰り出す方式のものは内側に糸巻、外側に回転ローターという二重構造の方式が一般的であるが、短いコードを用いる方式のものは、消耗によりコード長が半分程度になると刈り払い性能が著しく低下するため残る半分のコードを捨て新しいものに交換しなければならず不経済である。また、二重構造のものはどうしても構造が複雑になるので強度や耐久性に問題が生じやすい上に、製造コストが嵩むという問題がある。
【０００４】
さらに、作業中、草に絡み引っ張るナイロンコードは急激に引き伸ばされ、草が切れた途端に縮むため、コードは繰出孔側面との激しい摩擦で温度が上昇し繰出孔側面に接する部位で切れやすくなる。
【０００５】
このようなコードの切れを防ぐための一般的な技術は、コード繰出孔の側面を角のない半円形するほか、ローターにＵ型の溝を作るといったものであるが、茎が太く固い草に絡んだ場合には繰出孔側面との摩擦熱も大きくなるため側面半円形の孔やローターに加工されるＵ型の溝だけでは切れを防ぐことができない。
【０００６】
そこで、本出願人は、従来のナイロンコードカッターの有するかかる欠点を克服し、イネ科雑草の荒い茎や茎の硬化した多年生草の多い現場でも効率的な刈り払い作業が行える高性能のナイロンコードカッターを開発した（特許文献２）。  
【０００７】
このものは、コード繰出孔から外側方向に真っ直ぐ伸びるナイロンコードが、草を絡めることにより緊張しつつ回転ローター側に引き寄せられ一定の傾斜角に達した時に、ナイロンコードの緊張する部位を制御板に取り付けたハンマー先端が回転方向に打撃することにより、切断力を高めることができるというものである。  
【０００８】
さらに、このものは、コード繰出孔を一定の遊び空間を有し回転方向に開くＶ溝形状にすることにより、草に絡み緊張状態にあるコードの繰出孔に接する部位はＶ溝に捕縛され、繰出孔壁面とのすべり摩擦運動が抑制されるというものである。  
【０００９】
以上のように、コード繰出孔をＶ溝形状にすることにより、コード切れは大幅に減少したが、それでも過大な負荷がかかった場合にはハンマー先端部でコードが切れる場合があった。
【００１０】
また、作業中のコードは水平方向の動きだけではなく上下のブレも生じるため、ハンマー打撃点に確実に捉えられず、ハンマーの中間に引っかかる場合もあった。かかる状態で作業を行うと、コードに適切にインパクト（打撃力）が伝わらないのみならず、ハンマー中間との摩擦によりコードが切断されてしまうこともあった。
【００１１】
また、このものは、円筒上部が糸巻として機能し、円筒下部にはコード繰出口が形成されているが、多重に巻いたコード下部がコード繰出し領域へはみ出し、繰り出した部分のコードを締め付けるため、繰り出したコードの引き抜き・挿入が困難になり、草刈作業を遅滞させる場合があった。
【先行技術文献】
【特許文献】
【００１２】
【特許文献１】実用新案登録第３１６２５５３号
【特許文献２】実用新案登録第３１８３８６３号
【発明の概要】
【発明が解決しようとする課題】
【００１３】
そこで本発明は、従来のナイロンコードカッターの有するかかる欠点を克服し、イネ科雑草の荒い茎や茎の硬化した多年生草の多い現場でも効率的な刈り払い作業が行えるとともに、コードの切断も少ない高性能のナイロンコードカッターの提供をその課題とするものである。
【課題を解決するための手段】
【００１４】
本発明は、上記課題を解決するものであり、円筒部と、該円筒部の上端より略水平に突出する鍔部と、該鍔部と一定の間隔を空けて円筒部の下部より略水平に突出する制御板とを備え、前記円筒部の周壁にはコード取付部が設けられ、前記制御板の上面には複数のハンマーを設け、該ハンマーは、制御板の上面から所定の隙間を空けて取り付けられた平板部からその底面が制御板と接する皿状に凹設された第一凹陥部および第二凹陥部とを備え、第一凹陥部が設けられたハンマーの先端側は制御板の外周縁側に、また、第二凹陥部が設けられたハンマーの基部側は円筒側に位置するように配設され、ハンマーの反回転方向側の辺部に設けられた引き込み口からコードが平板部下部の隙間に挿入され、第二凹陥部と円筒側との間を挿通して回転方向側の辺部から外部へと繰り出されていることを特徴とするナイロンコードカッターである。
【００１５】
さらに本発明は、前記制御板が平面視において角が円弧状に形成された隅丸正方形に形成されたことを特徴とするナイロンコードカッターである。
【００１６】
さらに本発明は、前記制御板の外周縁部から外側斜め下方へ折り曲げ形成されたスカート部が形成されていることを特徴とするナイロンコードカッターである。
【００１７】
さらに本発明は、前記鍔部の外周縁部分に円弧上の切り欠きを１組ずつ対向するように計４箇所設けたことを特徴とするナイロンコードカッターである。
【発明の効果】
【００１８】
本発明のナイロンコードカッターは、コードが常にハンマーの平板部と制御板の隙間に位置しているため、作動時の上下のブレが抑えられ、ハンマーの辺部で切断されるおそれがない。また、第一凹陥部の傾斜面と制御板の上面とにより形成されるＶ溝形状によりナイロンコードが常に打撃点において捕捉されるため、過大な負荷がかかった場合でもコードが切断されるおそれがない。
【００１９】
また、本発明のナイロンコードカッターで制御板が平面視において角が円弧状に形成された隅丸正方形に形成されたものは、直線の辺部より外側へ突出するコードの長さが長くなり、草を絡める力を十分に維持しながらもモーターに無理な負荷がかからず、回転数が維持され、高い刈り取り性能を発揮することができる。
【００２０】
また、本発明のナイロンコードカッターで外周縁部から外側斜め下方へ折り曲げ形成されたスカート部が形成されているものは、制御板の剛性が著しく強化され、インパクト時の制御板の撓みによる力の減衰がなくなるため、インパクトによる切断力を確実に発揮することができる。
【００２１】
また、本発明のナイロンコードカッターで前記鍔部の外周縁部分に円弧上の切り欠きを１組ずつ対向するように設けたものは、ナイロンコードをコード取付部に挿通し、長さを調整するなどの作業時に鍔部が邪魔にならない。
【００２２】
さらに本発明のナイロンコードカッターは、円筒部の糸巻として機能する上部とコードを繰り出す下部とがハンマーの平板部より分離されるため、コードが下方へとはみ出して繰り出した部分のコードを締め付けるおそれがなく、作業中に摩耗短縮したコードの伸長作業も容易である。
【図面の簡単な説明】
【００２３】
【図１】（ａ）本発明に係るナイロンコードカッターの平面図、（ｂ）同正面図、（ｃ）同左側面図、（ｄ）同背面図
【図２】（ａ）本発明に係るナイロンコードカッターのハンマーの平面図、（ｂ）同断面図。
【図３】本発明に係るナイロンコードカッターの鍔部を取り外した状態の平面図。
【発明を実施するための形態】
【００２４】
以下、本発明のナイロンコードカッターの実施態様を、図面に基づいて具体的に説明する。なお、本発明はこれら実施態様に何ら制約されるものではない。  
【００２５】
図に示すように、本発明のナイロンコードカッターは、円筒部２と、該円筒部２の上端から略水平に突出する鍔部１と、該鍔部１と一定の間隔を空けて円筒部２の下部より略水平に突出する制御板３とを備え、該制御板３の上面には複数のハンマー４が設けられている。以下、各部の詳細について説明する。
【００２６】
円筒部２はコードを巻き付け可能な所定の高さの筒状に形成され、その周壁にはコード取付部２１が設けられている。コード取付部２１はハンマー４よりも上方の周壁に形成されており、本実施態様では、周壁の一部において周方向に所定幅で離間する２箇所の切れ込みを入れ、その切れ込みの間の周壁を外側へ膨出させることにより切れ込みをナイロンコードが挿通可能な穴部としている。なお、コード取付部２１はこの態様に限らず、周壁にナイロンコードが挿通可能な２つの穴部を穿設するだけでも良い。
【００２７】
本実施態様の鍔部１は、中央に刈払機取付用穴１１が穿設され、円形の外周縁部分から円弧上に凹む切り欠き１２を１組ずつ対向するように計４箇所設けた形状に形成されている。鍔部１の形状はかかる切り欠き１２を設けない単なる円形としても良いが、切り欠き１２を設けることにより、ナイロンコードをコード取付部２１に挿通し、長さを調整するなどの作業時に鍔部１が指の邪魔にならないため、好ましい。
【００２８】
円筒部２の下部には制御板３が設けられている。本実施態様の制御板３は平面視において角が円弧状に形成され、かかる角の間には直線の辺部を備えた隅丸正方形に形成されている。制御板３の形状は単なる円形でも良いが、本実施態様のように隅丸正方形にすることにより、円形の場合と比べ、直線の辺部より外側へ突出するコードの長さが長くなり、草を絡める力を十分に維持しながらもモーターに無理な負荷がかからず、回転数が維持され、高い刈り取り性能を発揮することができる。
【００２９】
また、本実施態様の制御板３は、外周縁部から外側斜め下方へ折り曲げ形成されたスカート部３１が形成されているが、制御板３の下部にスカート部３１下端よりも長く下方へ突出する円筒部２の下部がスカート部３１を支えるため、かかるスカート部３１は、使用時には土壌の間に適当な隙間を維持した状態で滑走することができる。土壌との摩擦による損耗はスカート部３１の下端と円筒部２の下端から進行するため、摩耗に対する耐久性を高めることができる。また、スカート部３１により制御板３の剛性が著しく強化され、インパクト時の制御板３の撓みによる力の減衰がなくなるため、インパクトによる切断力を確実に発揮することができる。
【００３０】
制御板３の上面には、ハンマー４が４箇所設けられている。図２に示すように、ハンマー４は１枚のプレートから加工成形されている。ハンマー４は制御板３に設置したときに円筒部２に接する辺部４ｃが形成された基部側から、制御板３に設置したときに制御板４の外周縁側に位置する先端部側へとやや細長に形成され、その先端部は円弧上に形成されている。そして、制御板３を回転させたときに回転方向側にあたる辺部４ａは回転方向へと膨出して形成され、また、反回転方向側にあたる辺部４ｂは途中で屈曲して入り角４ｄを形成している。かかる入り角４ｄより基部側には、ナイロンコードを挿入可能な引き込み口４６が形成されている。
【００３１】
ハンマー４の先端側には第一凹陥部４２ａが、また、その基部側には第二凹陥部４２ｂがそれぞれ設けられている。第一凹陥部４２ａと第二凹陥部４２ｂは、それらの底部４３ａ、４３ｂが制御板３の上面と接する皿状に凹設されている。より詳しくは、円形の底部４３ａ、４３ｂの周縁部から斜め上方へと傾斜する傾斜部４４ａ、４４ｂを介して平板部４１に連続するように形成されており、底部４３ａ、４３ｂの中心には、制御板３との取り付け用の穴部４５ａ、４５ｂが穿設されている。以上の構成により、ハンマー４の平板部４１は制御板３の上面から所定の隙間を空けて取り付けられることになり、かかる平板部４１と制御板３の隙間にナイロンコードを挿通することができる。
【００３２】
また、本実施態様のハンマー４は、その基部側の一部が下方に折り曲げ加工されて第一ガイド部４７ａおよび第二ガイド部４７ｂが形成されている。これらのうち、第一ガイド部４７ａは引き込み口４６の側面をカバーするように形成されており、また、第二ガイド部４７ｂは、円筒部２に接する辺部４ｃの横から回転方向側に延伸して設けられている。これらの第一ガイド部４７ａおよび第二ガイド部４７ｂはいずれも折り曲げられた先端が制御板３の上面と接するように形成されている。
【００３３】
図３は、本発明のナイロンコードカッターから鍔部１を取り外した状態での平面図である。なお、本実施態様のナイロンコードカッターは使用時には制御板３が反時計回りに回転するものとする。図に示すように、ハンマー４は制御板３の上面において、円筒部２を中心とした略卍形となるように４箇所設けられている。詳しくは、ハンマー４の基部側の辺部４ｃが円筒部２の周壁に接しており、基部側に設けられている第二凹陥部４２ｂは円筒部２の近くに配置されている。そして、ハンマー４の先端側に設けられている第一凹陥部４２ａは制御板３の外周縁近くに配置され、隅丸に形成された制御板３の角部分よりもやや回転方向側にずれて配置されている。また、ハンマー４の辺部４ａは回転方向側に、また、辺部４ｂは反回転方向側にそれぞれ配置される。
【００３４】
ハンマー４の配置の好ましい条件について、更に説明する。図に示すように、ハンマー４の第二凹陥部４２ｂは、制御板３の直線辺部の中央と制御板３の中心とを結んだ中心線Ｌ１よりもやや反回転方向側にずれて設けられており、かかる中心線Ｌ１と、第二凹陥部４２ｂの中心と制御板３の中心とを結んだ線Ｌ２とにより形成される角度θ１は１５°〜２５°の範囲が好ましく、２３°がより好ましい。
【００３５】
また、ハンマー４は第一凹陥部４２ａの中心と第二凹陥部４２ｂの中心とを結んだ線Ｌ３が第二凹陥部４２ｂの中心と制御板３の中心とを結んだ線Ｌ２に対して反回転方向側に傾斜しており、かかる線Ｌ２と線Ｌ３により形成される角度θ２の範囲は３５°〜４５°が好ましく、３７°がより好ましい。
【００３６】
さらに、第二凹陥部４２ｂの中心と制御板３の中心との距離Ｘ１と、第二凹陥部４２ｂの中心と第一凹陥部４２ａの中心との距離Ｘ２の長さの関係については、Ｘ１：Ｘ２＝３３：２６が好ましい。以上の数値範囲にてハンマー４を配置することにより、コードは緊張力を強く維持したままハンマーに打撃されるため、効果的に切断力を得ることができる。
【００３７】
さらに、図中、実線及び破線５ａは回転時のナイロンコードの様子を、また、実線及び破線５ｂは回転時に草を捕縛した状態のナイロンコード５の様子を模式的に示している。図に示すように、ナイロンコード５はハンマー４の引き込み口４６から平板部４１の下部へと挿入されている。なお、本図において、円筒部２の上部に巻きつけられたナイロンコード５の図示は省略している。
【００３８】
ナイロンコード５は、第一ガイド部４７ａにより円筒部２と第二凹陥部４２ｂの間に導かれ、その後、第二ガイド部４８ｂと第二凹陥部４２ｂの間を通って、辺部４ａ側から外部へと繰り出されている。なお、辺部４ａには第二ガイド部４８ｂを除いてナイロンコード５の水平方向の動きを規制するものがないため、回転時のナイロンコード５は、実線及び破線５ａに示すように辺部４ａの任意の部分から制御板３の外周方向へと突出し、遠心力の作用等により自由に水平移動することができる。
【００３９】
実線及び破線５ｂに示すように、ナイロンコード５が草を捕縛して強い緊張力がかかった状態で第一凹陥部４２ａがナイロンコード５を打撃するため、かかるハンマー４のインパクト効果により高い切断力が発揮される。そして、インパクトの際はナイロンコード５が第一凹陥部４２ａの傾斜部４４ａと制御板３の上面で形成されるＶ溝により捕捉されているため、打撃点でコードが切断されるおそれがない。また、ナイロンコード５は水平方向には移動可能となっているが、常に平板部４１でカバーされる領域で移動するため、辺部４ａ等により切断されるおそれもない。
【００４０】
以下、本発明にかかるナイロンコードカッターのコードの取り付け方法について説明する。まず、１本のナイロンコードを準備し、円筒部２のコード取付部２１に挿通した後、一端が他端よりも６〜７ｃｍ程度長めの二つ折りにしてコード取付部２１から上部の領域の円筒部２に緩みなくコードを巻き付ける。コードの巻き残りがカッターとして最適な２５ｃｍ程度になったら、コードの長さの関係で最も適切な対向位置にある２つのハンマー４を選択し、コードの両端をそれらのハンマー４の引き込み口４６から平板部４１と制御板３との隙間に挿入し、第一ガイド部４７ａにより円筒部２と第二凹陥部４２ｂの間に挿通した後、第二ガイド部４８ｂと第二凹陥部４２ｂの間を通って、先端を辺部４ａ側から引っ張り出す。
【００４１】
なお、円筒２上部に多重に巻かれたコード部分は、ハンマー４の平板部４１より下方へとはみ出すことはないため、繰り出した部分のコードを締め付けることがなく、作業中に摩耗短縮したコードの伸長作業も容易になり、作業性が著しく改善された。    
【符号の説明】
【００４２】
１  …  …  鍔部
２  …  …  円筒部
３  …  …  制御板
４  …  …  ハンマー
５  …  …  ナイロンコード
１１  …  …  刈払機用取付穴
１２  …  …  切り欠き
２１  …  …  コード取付部
３１  …  …  スカート部
４１  …  …  平板部
４ａ  …  …  辺部
４ｂ  …  …  辺部
４ｃ  …  …  辺部
４ｄ  …  …  入り角
４２ａ  …  …  第一凹陥部
４２ｂ  …  …  第二凹陥部
４３ａ  …  …  底部
４３ｂ  …  …  底部
４４ａ  …  …  傾斜部
４４ｂ  …  …  傾斜部
４５ａ  …  …  穴部
４５ｂ  …  …  穴部
４６  …  …  引き込み口
４７ａ  …  …  第一ガイド部
４７ｂ  …  …  第二ガイド部
Ｌ１  …  …  制御板の直線の辺部の中央と制御板の中心とを結んだ中心線
Ｌ２  …  …  第二凹陥部の中心と制御板の中心とを結んだ線
Ｌ３  …  …  第一凹陥部の中心と第二凹陥部の中心とを結んだ線
θ１  …  …  中心線Ｌ１と線Ｌ２とにより形成される角度
θ２  …  …  線Ｌ２と線Ｌ３とにより形成される角度
Ｘ１  …  …  第二凹陥部の中心と制御板の中心との距離
Ｘ２  …  …  第二凹陥部の中心と第一凹陥部の中心との距離
【図１】
2019068767.tif 000003
【図２】
2019068767.tif 000004
【図３】
2019068767.tif 000005